Podtech/llm-jp-corpus-v4-ja_patent huggingface dataset:
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
近傍界通信（ＮＦＣ）のための方法であって、
リスニング動作モードに入るべきかどうかを決定することと、
前記リスニング動作モードに入ることを決定したことに基づいて、複数のリッスンモードプロファイルからリッスンモードプロファイルを識別することと、
前記リッスンモードプロファイルに基づいて第１のＮＦＣデバイスを構成することと
を備え、ここにおいて、前記リスニング動作モードに入るべきかどうかを決定することが、
前記第１のＮＦＣデバイス上の少なくとも１つのアプリケーションの特性を識別することと、
前記少なくとも１つのアプリケーションの前記特性に基づいて前記リスニング動作モードを選択することと
を備える、方法。
【請求項２】
前記複数のリッスンモードプロファイルから前記リッスンモードプロファイルを識別することが、
前記第１のＮＦＣデバイスによってサポートされる１つまたは複数のプロトコルを決定することと、
前記第１のＮＦＣデバイスによってサポートされる前記１つまたは複数のプロトコルに関連する前記リッスンモードプロファイルを選択することと
を備える、請求項１に記載の方法。
【請求項３】
前記複数のリッスンモードプロファイルが、少なくとも１つのリッスン状態のための構成パラメータ値を含む、請求項１に記載の方法。
【請求項４】
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、請求項１に記載の方法。
【請求項５】
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、請求項１に記載の方法。
【請求項６】
前記複数のリッスンモードプロファイルが、タイプ４Ａタグ（Ｔ４ＡＴ）リッスン状態のための構成パラメータと対応するパラメータ値とのセットを有するＴ４ＡＴリッスンモードプロファイルを含み、ここにおいて、前記Ｔ４ＡＴリッスンモードプロファイルが、ＮＦＣタイプ−Ａ（ＮＦＣ−Ａ）無線周波数技術を使用してタイプ４タグ動作を実装する第２のＮＦＣデバイスとの通信を確立するように構成された、請求項１に記載の方法。
【請求項７】
前記複数のリッスンモードプロファイルが、タイプ４Ｂタグ（Ｔ４ＢＴ）リッスン状態のための構成パラメータと対応するパラメータ値とのセットを有するＴ４ＢＴリッスンモードプロファイルを含み、ここにおいて、前記Ｔ４ＢＴリッスンモードプロファイルが、ＮＦＣタイプ−Ｂ（ＮＦＣ−Ｂ）無線周波数技術を使用してタイプ４タグ動作を実装する第２のＮＦＣデバイスとの通信を確立するように構成された、請求項１に記載の方法。
【請求項８】
前記リッスンモードプロファイルが、通信プロセス中にユーザ介入なしに実行される、請求項１に記載の方法。
【請求項９】
近傍界通信（ＮＦＣ）デバイスのための装置であって、
リスニング動作モードに入ることを決定するための手段と、
前記リスニング動作モードに入ることを決定したことに基づいて、複数のリッスンモードプロファイルからリッスンモードプロファイルを識別するための手段と、
前記リッスンモードプロファイルに基づいて前記ＮＦＣデバイスを構成するための手段と
を備え、ここにおいて、前記リスニング動作モードに入ることを決定するための前記手段が、
第１のＮＦＣデバイス上の少なくとも１つのアプリケーションの特性を識別するための手段と、
前記少なくとも１つのアプリケーションの前記特性に基づいて前記リスニング動作モードを選択するための手段と
を備える、装置。
【請求項１０】
前記複数のリッスンモードプロファイルから前記リッスンモードプロファイルを識別するための前記手段が、
前記第１のＮＦＣデバイスによってサポートされる１つまたは複数のプロトコルを決定するための手段と、
前記第１のＮＦＣデバイスによってサポートされる前記１つまたは複数のプロトコルに関連する前記リッスンモードプロファイルを選択するための手段と
を備える、請求項９に記載の装置。
【請求項１１】
前記複数のリッスンモードプロファイルが、少なくとも１つのリッスン状態のための構成パラメータ値を含む、請求項９に記載の装置。
【請求項１２】
前記複数のリッスンモードプロファイルが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのうちの２つまたはそれ以上を備える、請求項１１に記載の装置。
【請求項１３】
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、請求項９に記載の装置。
【請求項１４】
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、請求項９に記載の装置。
【請求項１５】
コンピュータデバイスの処理手段において実行されているとき、請求項１乃至８のいずれかに記載の方法を行うための命令を備える、コンピュータプログラム。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
第1鎖および第2鎖を含むUNAオリゴマーであって、各々の鎖は19〜29モノマー長であり、該モノマーはUNAモノマーおよび核酸モノマーを含み、ここに該オリゴマーは14〜29モノマー長の二本鎖構造を有し、ここに該第2鎖はRNA干渉用のガイド鎖であって該第1鎖はRNA干渉用のパッセンジャー鎖であり、およびここにUNAオリゴマーはターゲット遺伝子の発現を低下させる、UNAオリゴマー。
【請求項２】
各々の鎖に1またはそれを超える核酸モノマーの1またはそれを超える化学修飾を含む、請求項1に記載のUNAオリゴマー。
【請求項３】
オリゴマーが2'−O−メチル基で修飾された1またはそれを超えるヌクレオチドを含む、請求項1に記載のUNAオリゴマー。
【請求項４】
オリゴマーが2'−O−メチル基で修飾された1〜9のヌクレオチドを含む、請求項1に記載のUNAオリゴマー。
【請求項５】
オリゴマーが2'−デオキシ−2'−フルオロ基で修飾された1またはそれを超えるヌクレオチドを含む、請求項1に記載のUNAオリゴマー。
【請求項６】
いずれかの鎖における1またはそれを超えるモノマー間結合がホスホロチオエートまたはキラルホスホロチオエート結合である、請求項1に記載のUNAオリゴマー。
【請求項７】
オリゴマーが2'−O−メチル基で修飾された1またはそれを超えるヌクレオチドおよび2'−デオキシ−2'−フルオロ基で修飾された1またはそれを超えるヌクレオチドを含む、請求項1に記載のUNAオリゴマー。
【請求項８】
オリゴマーが、いずれかの鎖に2'−O−メチル基で修飾された1またはそれを超えるヌクレオチド、2'−デオキシ−2'−フルオロ基で修飾された1またはそれを超えるヌクレオチド、および1またはそれを超えるホスホロチオエートまたはキラルホスホロチオエートモノマー間結合を含む、請求項1に記載のUNAオリゴマー。
【請求項９】
オリゴマーが、いずれかの鎖に3またはそれを超えるUNAモノマー、2'−O−メチル基で修飾された1またはそれを超えるヌクレオチド、2'−デオキシ−2'−フルオロ基で修飾された1またはそれを超えるヌクレオチド、および1またはそれを超えるホスホロチオエートまたはキラルホスホロチオエートモノマー間結合を含む、請求項1に記載のUNAオリゴマー。
【請求項１０】
ターゲット遺伝子がB型肝炎ウイルス、TTR、APOB、PCSK9、またはAPOC3のウイルス遺伝子である、請求項1に記載のUNAオリゴマー。
【請求項１１】
配列番号：87である第1鎖および配列番号：88である第2鎖を含む、請求項1に記載のUNAオリゴマー。
【請求項１２】
配列番号：105である第1鎖および配列番号：106である第2鎖を含む、請求項1に記載のUNAオリゴマー。
【請求項１３】
配列番号：239である第1鎖および配列番号：240である第2鎖を含む、請求項1に記載のUNAオリゴマー。
【請求項１４】
配列番号：263である第1鎖および配列番号：264である第2鎖を含む、請求項1に記載のUNAオリゴマー。
【請求項１５】
UNAオリゴマーがイン・ビトロ（in vitro）において長時間持続する活性を有する、請求項1に記載のUNAオリゴマー。
【請求項１６】
UNAオリゴマーがイン・ビボ（in vivo）において長時間持続する効能を有する、請求項1に記載のUNAオリゴマー。
【請求項１７】
請求項1〜16のいずれかに記載の1またはそれを超えるUNAオリゴマーおよび医薬上許容し得る不活性成分、希釈剤または補助剤を含む医薬組成物。
【請求項１８】
ターゲット遺伝子の発現を調節するための請求項1〜16のいずれかに記載の1またはそれを超えるUNAオリゴマーの使用。
【請求項１９】
必要とする対象において、B型肝炎感染症、アミロイド神経障害、アミロイドーシス、トランスサイレチンに関連するアミロイドーシス、高コレステロール血症、コレステロール障害、高トリグリセリド血症、またはリポタンパク質障害を予防または治療することにおける、請求項17記載の組成物の使用。
【請求項２０】
治療ターゲット用の薬物の調製における、請求項17記載の組成物の使用。
【請求項２１】
細胞中のターゲットmRNAの発現レベルを低下させる薬物を調製することにおける、請求項1〜16のいずれかに記載の1またはそれを超えるUNAオリゴマーの使用。
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
先端部分を含むフィルタホルダと、
前記フィルタホルダの前記先端部分上に配置された不織布物品と、
前記フィルタホルダに取り付けられたアダプタであって、開口部を画定するアダプタと、
を備える、デバイス。
【請求項２】
前記アダプタが、前記アダプタの内表面上に形成された少なくとも１つのリブを更に含む、請求項１に記載のデバイス。
【請求項３】
前記フィルタホルダと前記アダプタとが直列に取り付けられている、請求項１又は請求項２に記載のデバイス。
【請求項４】
前記デバイスがＹ字形構成を含み、前記デバイスが、前記Ｙ字形構成を受け入れるように構成されたハウジングを更に備え、前記ハウジングは廃棄物収集容器及び通気孔を含む、請求項１〜３のいずれか一項に記載のデバイス。
【請求項５】
前記不織布物品が、管形状を有するように構成されている、請求項１〜４のいずれか一項に記載のデバイス。
【請求項６】
シリンジ、ポンプ、又はアスピレータを含む差圧源を更に備える、請求項１〜５のいずれか一項に記載のデバイス。
【請求項７】
流体試料中の少なくとも１種類の微生物株又は標的細胞検体を検出する方法であって、
デバイスを入手する工程であって、前記デバイスは、１）先端部分を含むフィルタホルダと、２）前記フィルタホルダの前記先端部分上に配置された不織布物品と、３）前記フィルタホルダに取り付けられたアダプタであって、開口部を画定するアダプタとを含む、入手する工程と、
有腔又は有管デバイスを前記デバイスと流体連通させて配置する工程と、
前記有腔又は有管デバイスからの少なくとも１種類の微生物株又は標的細胞検体を含有する疑いがある流体試料を前記デバイスに通過させ、前記不織布物品と接触させる工程と、
前記不織布物品を少なくとも１種類の検出試薬と接触させる工程と、
前記不織布物品によって濃縮された前記少なくとも１種類の微生物株又は標的細胞検体の存在を検出する工程と、
を含む、方法。
【請求項８】
前記流体試料が前記有腔又は有管デバイスからのすすぎ液を含む、請求項７に記載の方法。
【請求項９】
前記不織布物品を前記少なくとも１種類の検出試薬と前記接触させる工程が、前記少なくとも１種類の検出試薬に対する前記不織布物品の上下又は前後運動を含む、請求項７又は請求項８に記載の方法。
【請求項１０】
前記有腔又は有管デバイスが、前記アダプタの前記開口部を通して前記有腔又は有管デバイスを挿入することによって、前記デバイスと流体連通させて配置され、前記有腔又は有管デバイスの長さの少なくとも２５ミリメートルが前記アダプタの内部に配置される、請求項７〜９のいずれか一項に記載の方法。
【請求項１１】
前記デバイスを通過する前記流体試料の流量が少なくとも２ミリリットル／分であり、前記デバイスに入り、前記デバイスから出ていく前記流体試料の圧力差が２０キロパスカル以下である、請求項７〜１０のいずれか一項に記載の方法。
【請求項１２】
１）先端部分を含むフィルタホルダ、２）前記フィルタホルダの前記先端部分上に配置された不織布物品、及び３）前記フィルタホルダに取り付けられたアダプタであって、開口部を画定するアダプタを備えるデバイスと、
少なくとも１種類の検出試薬を包含するキュベットと、
前記フィルタホルダ内に挿入されるように構成された柄と、
を備えるキット。
【請求項１３】
１）先端部分を含むフィルタホルダ、２）前記フィルタホルダの前記先端部分上に配置された不織布物品、及び３）前記フィルタホルダに取り付けられたアダプタであって、開口部を画定するアダプタを備えるデバイスと、
少なくとも１種類の検出試薬を包含するキュベットと、
前記フィルタホルダ内に挿入されるように構成された柄と、
照度計と、
を備える、システム。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
配列番号３２９のアミノ酸配列を含む相補性決定領域１（ＣＤＲ１）、配列番号３３０のアミノ酸配列を含むＣＤＲ２、及び列番号３３１のアミノ酸配列を含むＣＤＲ３を含む免疫グロブリン重鎖可変（ＶＨ）領域；並びに
配列番号３３２のアミノ酸配列を含むＣＤＲ１、配列番号３３３のアミノ酸配列を含むＣＤＲ２、及び列番号３３４のアミノ酸配列を含むＣＤＲ３を含む免疫グロブリン軽鎖可変（ＶＬ）領域
を含む、Ｔ細胞免疫グロブリン及びムチンタンパク質３（ＴＩＭ−３）結合剤。
【請求項２】
配列番号３３５のアミノ酸配列を含む相補性決定領域１（ＣＤＲ）、配列番号３３６のアミノ酸配列を含むＣＤＲ２、及び列番号３３７のアミノ酸配列を含むＣＤＲ３を含む免疫グロブリン重鎖可変（ＶＨ）領域；並びに
配列番号３３８のアミノ酸配列を含むＣＤＲ１、配列番号３３９のアミノ酸配列を含むＣＤＲ２、及び列番号３４０のアミノ酸配列を含むＣＤＲ３を含む免疫グロブリン軽鎖可変（ＶＬ）領域
を含む、Ｔ細胞免疫グロブリン及びムチンタンパク質３（ＴＩＭ−３）結合剤。
【請求項３】
配列番号３２９又は３３５のアミノ酸配列を含む相補性決定領域１（ＣＤＲ１）、配列番号３３０又は３３６のアミノ酸配列を含むＣＤＲ２、及び列番号３３１又は３３７のアミノ酸配列を含むＣＤＲ３を含む免疫グロブリン重鎖可変（ＶＨ）領域；並びに
配列番号３３２又は３３８のアミノ酸配列を含むＣＤＲ１、配列番号３３３又は３３９のアミノ酸配列を含むＣＤＲ２、及び列番号３３４又は３４０のアミノ酸配列を含むＣＤＲ３を含む免疫グロブリン軽鎖可変（ＶＬ）領域
を含む、Ｔ細胞免疫グロブリン及びムチンタンパク質３（ＴＩＭ−３）結合剤。
【請求項４】
ＶＨ領域が配列番号３４又は２３８の配列と少なくとも９０％同一のアミノ酸配列を含み、ＶＬ領域が配列番号１１５又は３２７の配列と少なくとも９０％同一のアミノ酸配列を含む、請求項１〜３のいずれか１項に記載のＴＩＭ−３結合剤。
【請求項５】
配列番号３４又は２３８の配列と少なくとも９０％同一の、免疫グロブリン重鎖可変（ＶＨ）領域のアミノ酸配列、及び配列番号１１５又は３２７の配列と少なくとも９０％同一の、免疫グロブリン軽鎖可変（ＶＬ）領域のアミノ酸配列を含む、Ｔ細胞免疫グロブリン及びムチンタンパク質３（ＴＩＭ−３）結合剤。
【請求項６】
ＶＨ領域が配列番号３４又は２３８の配列と少なくとも９５％同一のアミノ酸配列を含み、ＶＬ領域が配列番号１１５又は３２７の配列と少なくとも９５％同一のアミノ酸配列を含む、請求項１〜５のいずれか１項に記載のＴＩＭ−３結合剤。
【請求項７】
ＶＨ領域が配列番号３４の配列を含み、ＶＬ領域が配列番号１１５の配列を含む、請求項１又は３〜６のいずれか１項に記載のＴＩＭ−３結合剤。
【請求項８】
ＶＨ領域が配列番号２３８の配列を含み、ＶＬ領域が配列番号３２７の配列を含む、請求項２〜６のいずれか１項に記載のＴＩＭ−３結合剤。
【請求項９】
抗体、抗体複合体又はそれらの抗原結合断片である、請求項１〜８のいずれか１項に記載のＴＩＭ−３結合剤。
【請求項１０】
Ｆ（ａｂ’）２断片、Ｆａｂ’断片、Ｆａｂ断片、Ｆｖ断片、ｓｃＦｖ断片、ｄｓＦｖ断片、ｄＡｂ断片又は一本鎖結合ポリペプチドである、請求項９に記載のＴＩＭ−３結合剤。
【請求項１１】
ＴＩＭ−３結合剤がＩｇＧ１、ＩｇＧ２若しくはＩｇＧ４の重鎖定常領域（Ｆｃ）を含む、請求項１〜１０のいずれか１項に記載のＴＩＭ−３結合剤。
【請求項１２】
ＴＩＭ−３結合剤が最小のエフェクター機能を有するＦｃ領域含む、請求項１〜１１のいずれか１項に記載のＴＩＭ−３結合剤。
【請求項１３】
請求項１〜１２のいずれか１項に記載のＴＩＭ−３結合剤をコードする単離された核酸配列。
【請求項１４】
請求項１３に記載の単離された核酸配列を含むベクター。
【請求項１５】
請求項１４に記載のベクターを含む単離された細胞。
【請求項１６】
（ａ）請求項１〜１２のいずれか１項に記載のＴＩＭ−３結合剤又は請求項１４に記載のベクター及び（ｂ）医薬的に許容される担体を含む、医薬組成物。
【請求項１７】
哺乳動物における、ＴＩＭ−３阻害に応答する病気の治療において使用するための、請求項１〜１２のいずれか１項に記載のＴＩＭ−３結合剤又は請求項１６に記載の医薬組成物。
【請求項１８】
前記病気ががんである、請求項１７に記載のＴＩＭ−３結合剤又は医薬組成物。
【請求項１９】
前記がんが、メラノーマ、腎臓細胞がん、肺がん、膀胱がん、乳がん、子宮頸がん、結腸がん、胆嚢がん、喉頭がん、肝臓がん、甲状腺がん、胃がん、唾液腺がん、前立腺がん、膵臓がん又はメルケル細胞がんである、請求項１８に記載のＴＩＭ−３結合剤又は医薬組成物。
【請求項２０】
前記病気が感染症である、請求項１７に記載のＴＩＭ−３結合剤又は医薬組成物。
【請求項２１】
前記感染症が、ウイルス又は細菌によって引き起こされる、請求項２０に記載のＴＩＭ−３結合剤又は医薬組成物。
【請求項２２】
前記ウイルスが、ヒト免疫不全ウイルス（ＨＩＶ）、呼吸器合胞体ウイルス（ＲＳＶ）、インフルエンザウイルス、デング熱ウイルス又はＢ型肝炎ウイルス（ＨＢＶ）である、請求項２１に記載のＴＩＭ−３結合剤又は医薬組成物。
【請求項２３】
前記病気が自己免疫疾患である、請求項１７に記載のＴＩＭ−３結合剤又は医薬組成物。
【請求項２４】
前記自己免疫疾患が、多発性硬化症、１型真性糖尿病、関節リウマチ、強皮症、クローン病、乾癬、全身性エリトマトーデス（ＳＬＥ）又は潰瘍性大腸炎である、請求項２３に記載のＴＩＭ−３結合剤又は医薬組成物。
【請求項２５】
哺乳動物におけるＴＩＭ−３結合剤の半減期が、３０分〜４５日の間である、請求項１７〜２４のいずれか１項に記載のＴＩＭ−３結合剤又は医薬組成物。
【請求項２６】
前記ＴＩＭ−３結合剤が、約１ピコモーラー（ｐＭ）〜約１００マイクロモーラー（μＭ）の間のＫＤでＴＩＭ−３に結合する、請求項１７〜２５のいずれか１項に記載のＴＩＭ−３結合剤又は医薬組成物。
【請求項２７】
必要に応じて抗体、抗体複合体又はそれらの抗原結合断片であるＰＤ−１結合剤と組み合わせた、請求項１７〜２５のいずれか１項に記載のＴＩＭ−３結合剤又は医薬組成物。
【請求項２８】
必要に応じて抗体、抗体複合体又はそれらの抗原結合断片であるＬＡＧ−３結合剤と組み合わせた、請求項１７〜２５のいずれか１項に記載のＴＩＭ−３結合剤又は医薬組成物。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
少なくとも１つの共刺激性キメラ抗原受容体を含む修正γδＴ細胞であって、前記共刺激性キメラ抗原受容体は、細胞膜を横断し細胞内の共刺激性免疫受容活性化チロシンモチーフに連結し、シグナル２を提供することができる細胞外抗原結合ドメインに結合し、細胞表面標的を認識して標的とする合成受容体であり、
前記γδＴ細胞が、共刺激性キメラ抗原受容体（ＣＡＲ）からの刺激シグナル（シグナル２）を提供し、前記共刺激性ＣＡＲの細胞表面標的を発現する細胞に対してのみ前記γδＴ細胞の活性化を可能にし、γδＴ細胞受容体刺激（シグナル１）を生じさせるように調節可能な反応を提供する、修正γδＴ細胞。
【請求項２】
Ｖγ９Ｖδ２ＴＣＲ介在性認識は、ＣＡＲからの刺激シグナルがＶγ９Ｖδ２Ｔ細胞受容体刺激の文脈においてのみ機能的反応に翻訳されるようにＣＡＲ非依存性標的戦略を提供する、請求項１に記載の修正γδＴ細胞。
【請求項３】
阻害性キメラ抗原受容体（ＩＣＡＲ）をさらに含む請求項１または２に記載の修正γδＴ細胞であって、前記阻害性キメラ抗原受容体による抗原の結合は、疾病抗原に対し結合特異性を有する細胞外抗原結合ドメイン、ヒンジ、膜貫通ドメイン、ならびに
１つまたは複数の共刺激性シグナル伝達領域（調製可能である）を含むキメラ抗原受容体の、前記疾病抗原に対する任意の結合により提供されるシグナルを阻害して、標的外細胞における前記γδＴ細胞の活性化を最小化する、修正γδＴ細胞。
【請求項４】
前記キメラ抗原受容体は、細胞感染症、細菌感染症、真菌感染症、または原虫感染症に見られるまたは関連する、細胞表面標的または天然リガンド；活性または非活性のウイルス断片；ペプチド；タンパク質；ウイルス由来の抗原セグメント；腫瘍特異的抗原または腫瘍関連抗原に結合することが可能である、請求項１〜３の何れか一項に記載の修正γδＴ細胞。
【請求項５】
請求項１〜４の何れか一項に記載のがんまたは感染症の処置で用いる修正γδＴ細胞であって、前記感染症はウイルス、細菌、真菌、または原虫の感染症から選択される、修正γδＴ細胞。
【請求項６】
請求項５の何れか一項に記載のがんまたは感染症の処置で用いる修正γδＴ細胞であって、前記修正γδＴ細胞は、アミノビスフォスフォネートまたはその代替品と共に対象に同時投与され、前記代替品は、生理学的なメバロン酸経路の調節不全を介して、標的細胞に存在するリン酸化抗原のレベルを高めることが可能である、修正γδＴ細胞。
【請求項７】
キメラ抗原受容体（ＣＡＲ）をコードする核酸配列であって、前記ＣＡＲは、細胞外抗原認識ドメイン、ヒンジ、膜貫通ドメイン、ならびに
ＣＤ３ゼータドメインが欠如している（調製可能である）、シグナル２を提供するための１つもしくは複数の共刺激性シグナル伝達領域を含み、任意に、
ヌクレオチド配列SEQ ID NO:7を含み、アミノ酸配列SEQ ID NO:8〜11をコードすることが可能な、核酸配列。
【請求項８】
請求項７に記載の核酸をγδＴ細胞に組み込んで、または形質導入して、前記γδＴ細胞を遺伝子改変するステップを含む、ＣＡＲ修正γδＴ細胞を提供するプロセス。
【請求項９】
１つまたは複数の共刺激性シグナル伝達領域およびＣＤ３ゼータドメインを含むＣＡＲと、ＣＤ３ゼータドメインが欠如したＣＡＲを検出する方法であって、SEQ ID NO:12およびSEQ ID NO:13と、SEQ ID NO:14およびSEQ ID NO:15の群から選択される少なくとも１つのプライマー対を、テストするＣＡＲをコードする核酸に結合させるステップを含む、方法。
【表１】
2018512161.tif 000001
【請求項１０】
自家的または同種的な移植により対象を処置するために組み合わせて用いる、請求項１〜４の何れか一項に記載のγδＴ細胞とピロフォスファート／フォスフォネート薬物とを含む、キット。
【請求項１１】
請求項１〜４の何れか一項に記載のγδＴ細胞を含む医薬組成物。
【請求項１２】
がんの処置で用いる抗体免疫療法を含み、
任意に、がんの処置で用いる、サイトカイン、インターフェロンガンマ、ＩＬ−２、化学療法薬、生物製剤、またはその組み合わせをさらに含む、請求項１１に記載の医薬品組成物。
【請求項１３】
ウイルスの処置で用いる療法薬を含む、請求項１１または１２に記載の医薬組成物。
【請求項１４】
ドナー対象から採取したドナー細胞を、レシピエント対象に治療的に有効な量のγδＴ細胞を同種的に投与できるように処理するステップであって、前記処理ステップは前記γδＴ細胞を修正してキメラ抗原受容体を組み込み、請求項１に記載の修正γδＴ細胞を提供するステップを含み、前記修正γδＴ細胞は、共刺激性ＣＡＲにより認識される標的細胞に発現する細胞表面標的のレベルに対し調整可能な反応を提供する、処置を準備する方法。
【請求項１５】
ドナー対象から採取したドナー細胞を、前記ドナー対象に治療的に有効な量のγδＴ細胞を投与できるように処理するステップであって、前記処理ステップは前記γδＴ細胞を修正してキメラ抗原受容体を組み込み、請求項１に記載の修正γδＴ細胞を提供するステップを含み、前記キメラ抗原受容体は疾病抗原に対し結合特異性を有する細胞外抗原結合ドメイン、ヒンジ、膜貫通ドメイン、１つまたは複数の共刺激性シグナル伝達領域、および非機能性ＣＤ３ゼータドメインを含む、ステップを含み、前記非機能性ＣＤ３ゼータドメインは、前記キメラ抗原受容体におけるＣＤ３ゼータドメインの欠如により提供される、処置を準備する方法。
【請求項１６】
キメラ抗原受容体を含む機能性γδＴ細胞受容体を発現するように遺伝子操作したＴ細胞であるγδＴ様細胞であって、前記キメラ抗原受容体は、疾病抗原に対し結合特異性を有する細胞外抗原結合ドメイン、ヒンジ、膜貫通ドメイン、ならびに
ＣＤ３ゼータドメインが欠如している（調製可能である）１つもしくは複数の共刺激性シグナル伝達領域を含み、任意に機能性γδＴ細胞受容体を発現するように遺伝子操作したαβＴ細胞であるγδＴ様細胞。
【請求項１７】
キメラ抗原受容体を含む、定義された抗原特異性を有するＴ細胞またはＴ細胞様細胞であって、前記キメラ抗原受容体は、疾病抗原に対し結合特異性を有する細胞外抗原結合ドメイン、ヒンジ、膜貫通ドメイン、ならびに
ＣＤ３ゼータドメインが欠如している（調製可能である）、シグナル２を提供するための１つもしくは複数の共刺激性シグナル伝達領域を含む、Ｔ細胞またはＴ細胞様細胞。
【請求項１８】
α-GalCerに対し特異性を有するＮＫＴ細胞、およびビタミンＢ関連抗原に対し特異性を有する粘膜関連インバリアントＴ（ＭＡＩＴ）細胞から選択される、請求項１７に記載の定義された抗原特異性を有するＴ細胞またはＴ細胞様細胞。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
水処理システムにおいて微生物によって引き起こされる問題に前もって対処する方法であって、
市水、水道水、池の水、海水、湖水、ろ過された水、脱塩水、再循環水、排水、蒸留水、凝縮ボイラー水、冷却水、及びそれらの任意の組み合わせからなる群から選択される水処理システムの供給水において全微生物集団を測定することと、
前記全微生物集団に関連する微生物集団の少なくとも１つのサブグループの量を測定することと、
前記微生物の少なくとも１つのサブグループの量が予め定められた閾値を超えているかどうかを決定することであって、前記予め定められた閾値は、少なくとも前記全微生物集団に関連する微生物集団の少なくとも１つのサブグループの５〜９０％であり、
前記微生物の少なくとも１つのサブグループの存在を是正するための生物防除手順を策定することと、を含む、方法。
【請求項２】
前記微生物のサブグループが、糸状性細菌を含む、請求項１に記載の方法。
【請求項３】
前記微生物のサブグループは、スピロジラ、クラドフォラ、ピトフォラ、Ｏ．シフォノクラデス・ピトフォラ・ピトフォラ、ウルビバクター・リトラリス（Ｕｌｖｉｂａｃｔｅｒ  ｌｉｔｏｒａｌｉｓ）、ヴェテリバクター・ウラジオストケンシス、ウィークセラ・ヴィロサ（Ｗｅｅｋｓｅｌｌａ  ｖｉｒｏｓａ）、フコバクター、ゲリバクター、オルニトバクテリウム・リノトラチェーレ（Ｏｒｎｉｔｈｏｂａｃｔｅｒｉｕｍ  ｒｈｉｎｏｔｒａｃｈｅａｌｅ）、リエメレラ・コハムビナ（Ｒｉｅｍｅｒｅｌｌａ  ｃｏｈａｍｂｉｎａ）、フラボバクテリウム・サイクロフィラム、ヘルペトシフォン（Ｈｅｒｐｅｔｏｓｉｐｈｏｎ）、ハリスコノバクター、スファエロチラス、サイトファガ・サクシカン、ウラジバクター、プフェイフェレラ（Ｐｆｅｉｆｆｅｒｅｌｌａ）、バチルス・アクアティリス、フレキシバクター・マリナス（Ｆｌｅｘｉｂａｃｔｅｒ  ｍａｒｉｎｕｓ）、フラボバクテリウム・オドラタム、ミクロスシーラ（Ｍｉｃｒｏｓｃｉｌｌａ）、フレキシトリックス（Ｆｌｅｘｉｔｈｒｉｘ）、カプノサイトファガ、タキソバクター、スポロキトファガ、サプロスピラ、クリソバクテリウム、ヒメノバクター（Ｈｙｍｅｎｏｂａｃｔｅｒ）、及びそれらの任意の組み合わせを含む、請求項１または２に記載の方法。
【請求項４】
少なくとも１つの測定値が、連鎖停止配列決定、変性剤濃度勾配ゲル電気泳動（ＤＧＧＥ）、デジタルポリメラーゼ連鎖反応、ＤＮＡに基づく分析、イオントレント半導体配列決定、ＭＡＬＤＩ、ＭＡＬＤＩ−ＴＯＦ、質量分析、ＰＣＲ分析、パイロシーケンシング、ｑＰＣＲ分析、オリゴヌクレオチドライゲーション及び検出による配列決定、合成による配列決定、１つ以上の微生物に関連する抗体の測定、１つ以上の微生物に関連するホルモンの測定、１つ以上の微生物に関連する分泌物の測定、１つ以上の微生物に関連するタンパク質の測定、１つ以上の微生物に関連する有機分子の測定、１つ以上の微生物に関連する分子の測定、蛍光ファージ、細胞選別機、ならびにそれらの任意の組み合わせからなるリストから選択される１つのプロセスによって行われる、請求項１〜３のいずれか１項に記載の方法。
【請求項５】
前記処理は、前記微生物集団の少なくとも１つのサブグループの原因である入力源を識別することをさらに含む、請求項１〜４のいずれか１項に記載の方法。
【請求項６】
前記入力源は、市水、水道水、池の水、海水、湖水、ろ過された水、脱塩水、再循環水、排水、蒸留水、凝縮ボイラー水、冷却水、及びそれらの任意の組み合わせからなる群から選択される、請求項５に記載の方法。
【請求項７】
前記微生物のサブグループが由来する供給水からの水の導入後１週間以内までに、前記微生物の少なくとも１つのサブグループの存在を是正するための生物防除手順を策定することをさらに含む、請求項１に記載の方法。
【請求項８】
前記水処理システムは、製紙、冷却水、ボイラー水、食品製造、飲料製造、鉱石処理、アルミナ処理、バイオディーゼル製造、蒸留、石油化学精製、石油化学合成、ポリマー合成、プラスチック製造、排水処理、ランドリー、ウエアウォッシング、水処理、固液分離、及びそれらの任意の組み合わせからなる群から選択される１つの項目の１つ以上の段階である、請求項１〜７のいずれか１項に記載の方法。
【請求項９】
識別された微生物を保存及び／または送信することができるフォーマットに記録することをさらに含む、請求項１〜８のいずれか１項に記載の方法。
【請求項１０】
前記識別された微生物を是正することに関連する殺生物プログラムを実施することをさらに含む、請求項１〜９のいずれか１項に記載の方法。
【請求項１１】
少なくとも１つの測定値が、前記処理システムのサンプル製品から取られる、請求項１〜１０のいずれか１項に記載の方法。
【請求項１２】
前記サンプルは、非常に乾燥しているため、その上には生存微生物がほとんどまたは全くない、請求項１１に記載の方法。
【請求項１３】
前記微生物のサブグループが、バイオフィルム形成体を含む、請求項１〜１２のいずれか１項に記載の方法。
【請求項１４】
前記微生物のサブグループが由来する原材料、製品中間体、または前記システムに加えられる処理添加剤を識別することと、前記微生物のサブグループのこの供給源の導入後１週間以内までに、前記微生物の少なくとも１つのサブグループの存在を是正するための生物防除手順を策定することと、をさらに含む、請求項１に記載の方法。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
ａ）少なくとも１つの結合部位を含む結合タンパク質であって、結合部位は、ターゲット細胞に関連する抗原に結合する結合タンパク質と、
ｂ）ＩＬ−１５ポリペプチドであって、ＩＬ−１５ポリペプチドは、配列番号：１に示されたアミノ酸配列の９２、９３、９４、９５、９６、９７、９８、９９、１００、１１２、１１３、１１４、１１５、及び／又は１１６位に対応する１つ以上の位置において、少なくとも１つのアミノ酸置換を含むことにより、配列番号：１（Uniprotナンバー：Ｐ４０９３３−１）の野生型ＩＬ−１５の親和性と比較して、ＩＬ−１５Ｒαに対する低下した親和性を有するＩＬ−１５ポリペプチドとを含む、
融合タンパク質。
【請求項２】
結合タンパク質が、抗体、二価の抗体フラグメント、一価の抗体フラグメント、又は抗体様結合性を有するタンパク質性結合分子からなる群より選択される、請求項１記載の融合タンパク質。
【請求項３】
ターゲット細胞が、腫瘍関連抗原（ＴＡＡ）及び／又は自己免疫疾患に関連する抗原を発現している、請求項１又は２記載の融合タンパク質。
【請求項４】
ＴＡＡが、ＣＤ１９、ＣＤ２０、ＣＤ１０、ＣＤ２１、ＣＤ２２、ＣＤ２５、ＣＤ３０、ＣＤ３３、ＣＤ３４、ＣＤ３７、ＣＤ３８、ＣＤ４４ｖ６、ＣＤ４５、ＣＤｗ５２、Ｆｍｓ様チロシンキナーゼ３（ＦＬＴ−３、ＣＤ１３５）、ｃ−Ｋｉｔ（ＣＤ１１７）、ＣＳＦ１Ｒ、（ＣＤ１１５）、ＣＤ１２３、ＣＤ１３３、ＰＤＧＦＲ−α（ＣＤ１４０ａ）、ＰＤＧＦＲ−β（ＣＤ１４０ｂ）、コンドロイチン硫酸プロテオグリカン４（ＣＳＰＧ４、メラノーマ関連コンドロイチン硫酸プロテオグリカン）、Ｍｕｃ−１、ＥＧＦＲ、ｄｅ２−７−ＥＧＦＲ、ＥＧＦＲｖＩＩＩ、葉酸遮断タンパク質、Ｈｅｒ２ｎｅｕ、Ｈｅｒ３、ＰＳＭＡ、ＰＳＣＡ、ＰＳＡ、ＴＡＧ−７２、ＨＬＡ−ＤＲ、ＩＧＦＲ、ＣＤ１３３、ＩＬ３Ｒ、線維芽細胞活性化タンパク質（ＦＡＰ）、カーボアンヒドラーゼＩＸ（ＭＮ／ＣＡ  ＩＸ）、ガン胎児抗原（ＣＥＡ）、ＥｐＣＡＭ、ＣＤＣＰ１、デルリン１、テネシン、ｆｒｉｚｚｌｅｄ１〜１０、血管抗原ＶＥＧＦＲ２（ＫＤＲ／ＦＬＫ１）、ＶＥＧＦＲ３（ＦＬＴ４、ＣＤ３０９）、エンドグリン、ＣＬＥＣ１４、Ｔｅｍ１−８、Ｔｉｅ２、メソセリン、上皮糖タンパク質２（ＥＧＰ２）、上皮糖タンパク質４０（ＥＧＰ４０）、ガン抗原７２−４（ＣＡ７２−４）、インターロイキン１３レセプター  アルファ−２サブユニット、ＩＬ１３Ｒα２、Ｉｇカッパ軽鎖（κ）、ＧＤ３−ガングリオシド（ＧＤ３）、ＧＤ２−ガングリオシド（ＧＤ２）、ＧＤ２及びＧＤ３のアセチル化変異体、ＣＤ１７１、ＮＣＡＭ、アルファ葉酸レセプター（αＦＲ）、ルイス（Ｙ）、胎児アセチルコリンレセプター（ＦＡＲ）、トリ赤芽血症ウイルスのガン遺伝子ホモログ３（ＥＲＢＢ３）、トリ赤芽血症ウイルスのガン遺伝子ホモログ４（ＥＲＢＢ４）、トリ赤芽血症ウイルスのガン遺伝子ホモログ２（ＥＲＢＢ２）、肝細胞増殖因子レセプター（ＨＧＦＲ／ｃ−Ｍｅｔ）、クローディン１８．２、クローディン３、クローディン４、クローディン１、クローディン１２、クローディン２、クローディン５、クローディン８、クローディン７、クローディン６、膜結合ＣＥＡ、Ｒｏｂｏ４、ＣＤ１３８、テネシン、ならびにフィブロネクチンのエクストラドメインＢからなる群より選択される、請求項３記載の融合タンパク質。
【請求項５】
ターゲット細胞が、自己免疫疾患に関連する抗原を発現しており、同抗原が、ＣＤ２０、ＣＤ２２、ＣＤ５２及びＴＮＦＲ、ＣＤ１９、ＣＤ２５、ＣＤ４０からなる群より選択される、請求項３記載の融合タンパク質。
【請求項６】
ターゲット細胞が、腫瘍／ガン細胞及び／又はＢ細胞である、請求項１〜５のいずれか一項記載の融合タンパク質。
【請求項７】
ＩＬ−１５ポリペプチドが、配列番号：１に示されたアミノ酸配列の９３、９４、９７、９８、９９、１００、１１４、及び／又は１１５位に対応する１つ以上の位置において、少なくとも１つのアミノ酸置換を含む、請求項１〜６のいずれか一項記載の融合タンパク質。
【請求項８】
少なくとも１つのアミノ酸置換が、Ｌ９２Ｄ、Ｅ９４Ｋ、Ｌ９５Ｄ、Ｖ９７Ｄ、Ｉ９８Ｄ、Ｌ１１４Ｄ、Ｌ１１４Ｅ、Ｉ１１５Ｄ、Ｉ１１５Ｅからなる群より選択される、請求項１〜７のいずれか一項記載の融合タンパク質。
【請求項９】
ＩＬ−１５ポリペプチドが、ＩＬ−１５Ｒαに結合しない、請求項１〜８のいずれか一項記載の融合タンパク質。
【請求項１０】
ＩＬ−１５ポリペプチドが、ＩＬ−２／ＩＬ−１５Ｒβγに結合する、請求項１〜９のいずれか一項記載の融合タンパク質。
【請求項１１】
ＩＬ−１５ポリペプチドが、全長ＩＬ−１５タンパク質又はそのフラグメントもしくは変異体であり、同フラグメント又は変異体が、配列番号：１の野生型ＩＬ−１５の親和性と比較して、ＩＬ−１５Ｒαに対する低下した親和性を有する、請求項１〜１０のいずれか一項記載の融合タンパク質。
【請求項１２】
ＩＬ−１５ポリペプチドが、少なくとも、配列番号：４に示されたアミノ酸配列を含み、同アミノ酸配列は、配列番号：４に示されたアミノ酸配列の４４、４５、４６、４７、４８、４９、５０、５１、５２、６４、６５、６６、６７、及び／又は６８位に対応する１つ以上の位置において、少なくとも１つのアミノ酸置換を含む、請求項１〜１０のいずれか一項記載の融合タンパク質。
【請求項１３】
融合タンパク質が、リンカーを更に含む、請求項１〜１２のいずれか一項記載の融合タンパク質。
【請求項１４】
ＩＬ−２／ＩＬ−１５Ｒβγを発現しているエフェクター細胞のターゲット細胞限定活性化に使用するための、請求項１〜１３のいずれか一項記載の融合タンパク質。
【請求項１５】
ＩＬ−２／ＩＬ−１５Ｒβγを発現しているエフェクター細胞により媒介されるターゲット細胞限定ターゲット細胞殺傷に使用するための、請求項１〜１３のいずれか一項記載の融合タンパク質。
【請求項１６】
ＮＫ細胞及びＴ細胞の細胞溶解活性を、非改変結合タンパク質の細胞溶解活性と比較して、向上させるのに使用するための、請求項１〜１３のいずれか一項記載の融合タンパク質。
【請求項１７】
疾患の処置に使用するための、請求項１〜１３のいずれか一項記載の融合タンパク質。
【請求項１８】
疾患が、増殖性疾患又は自己免疫疾患である、請求項１７記載の使用のための融合タンパク質。
【請求項１９】
処置の副作用が低減される、請求項１７〜１８のいずれか一項記載の使用のための融合タンパク質。
【請求項２０】
請求項１〜１３のいずれか一項記載の融合タンパク質を含む、医薬組成物。
【請求項２１】
請求項１〜１３のいずれか一項記載の融合タンパク質をコードする、核酸分子。
【請求項２２】
ベクターに含まれる、請求項２１記載の核酸分子。
【請求項２３】
請求項２１記載の核酸分子又は請求項２２記載のベクターを含む、ホスト細胞。
【請求項２４】
融合タンパク質の発現のために、融合タンパク質の発現を可能にする条件下において、融合タンパク質をコードする核酸を使用することを含む、請求項１〜１３のいずれか一項記載の融合タンパク質を製造するための方法。
【請求項２５】
請求項１〜１３のいずれか一項記載の融合タンパク質を含む、キット。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
袋であって、
可撓性の、水不透過性ポリマー材料で作製された第１の面と、
可撓性の、水不透過性材料によって作製された第２の面であって、前記第１の面及び前記第２の面は、前記縁部及び開放可能な上部において取り付けられている、第２の面と、
凹状上方部分及び平坦な構成と開放構成との間で撓むことができる下部を有する可撓性ガセット付き下部と、
前記袋の内側に配置されたフィルターであって、前記フィルターは凸状下方部分を有し、前記フィルターは、前記第１の面及び前記第２の面に取り付けられ、前記フィルターの前記凸状下方部分が前記下部の前記凹状上方部分に取り付けられている、フィルターと、
前記開放可能な上部を閉じるための閉鎖機構と、を備える袋。
【請求項２】
前記下部が開放構成にあるときに、水平面上に直立することができる、請求項１に記載の袋。
【請求項３】
前記袋の内側に液体増殖培地を更に含んでいる、請求項１に記載の袋。
【請求項４】
前記閉鎖機構がワイヤを備える、請求項１に記載の袋。
【請求項５】
培養サンプルを調整する方法であって、
請求項３に記載の袋を前記開放構成に変換し、これにより前記第１の面及び前記フィルターによって画定された前記第１区画、及び前記第２の面及び前記フィルターによって画定された前記第２区画、という２つの区画を形成する工程と、
前記開放可能な上部を開く工程と、
試験サンプルを、前記第１区画又は前記第２区画の一方に配置し、これにより前記試験サンプルを前記液体増殖培地と接触させる工程と、を含む、方法。
【請求項６】
培養サンプルを調整する方法であって、
請求項１に記載の袋を前記開放構成に変換し、これにより前記第１の面及び前記フィルターによって画定された前記第１区画、及び前記第２の面及び前記フィルターによって画定された前記第２区画という、２つの区画を形成する工程と、
前記開放可能な上部を開く工程と、
液体増殖培地を前記袋に加える工程と、
試験サンプルを、前記第１区画又は前記第２区画の一方に配置し、これにより前記試験サンプルを前記液体増殖培地と接触させる工程と、を含む、方法。
【手続補正書】
【提出日】平成31年3月29日(2019.3.29)
【手続補正１】
【補正対象書類名】明細書
【補正対象項目名】０１５５
【補正方法】変更
【補正の内容】
【０１５５】
(参考文献)
【化５】
2018512150.tif 000001
本件出願は、以下の構成の発明を提供する。
（構成１）
ヘキソシルトランスフェラーゼ酵素をコードする核酸を含む、腫瘍溶解性ウイルス。
（構成２）
前記酵素が、ガラクトシルトランスフェラーゼ酵素である、構成1記載の腫瘍溶解性ウイルス。
（構成３）
前記酵素が、α1,3-ガラクトシルトランスフェラーゼ酵素である、構成1又は構成2記載の腫瘍溶解性ウイルス。
（構成４）
腫瘍幹細胞マーカーに特異的な組換え結合ドメインを含む、構成1から3のいずれか1項記載の腫瘍溶解性ウイルス。
（構成５）
複製制限されている、構成1から4のいずれか1項記載の腫瘍溶解性ウイルス。
（構成６）
アデノウイルス、ヘルペスウイルス、ワクシニアウイルス、麻疹ウイルス、ニューカッスル病ウイルス、自律性パルボウイルス、水疱性口内炎ウイルス(VSV)、又はレオウイルスなどの、ヒト又は非ヒト起源のRNA又はDNAベースのウイルスである、構成1から5のいずれか1項記載の腫瘍溶解性ウイルス。
（構成７）
アデノウイルスである、構成6記載の腫瘍溶解性ウイルス。
（構成８）
条件付き複製型アデノウイルス(CRAd)である、構成7記載の腫瘍溶解性ウイルス。
（構成９）
Ad5/3キメラウイルスである、構成8記載の腫瘍溶解性ウイルス。
（構成１０）
前記Ad5/3キメラウイルスが、ウイルス前初期(E1a)遺伝子の定常領域2(CR2)内の24塩基対欠失(Δ24)をさらに含む(Ad5/3-Δ24 CRAd)、構成9記載の腫瘍溶解性ウイルス。
（構成１１）
α1,3-ガラクトシルトランスフェラーゼをコードする核酸配列を含む、構成1から10のいずれか1項記載の腫瘍溶解性ウイルス。
（構成１２）
Ad5/3-Δ24-αGT CRAd(CRAd-αGT)である、構成11記載の腫瘍溶解性ウイルス。
（構成１３）
医薬として許容し得る担体と組み合わせて、構成1から12のいずれか1項記載の腫瘍溶解性ウイルスを含む、医薬組成物。
（構成１４）
静脈内、筋肉内、腹腔内、腫瘍内、皮下、経口、直腸内、膣内、鼻腔内、経粘膜、又は経皮投与のために製剤化される、構成13記載の医薬組成物。
（構成１５）
新生物を有する個体を治療する方法であって、
i)少なくとも1つの癌細胞中で、構成1から12のいずれか1項記載の腫瘍溶解性ウイルスによって送達される内因性酵素を発現させて、細胞膜糖鎖付加を改変するステップと;
ii)前記腫瘍溶解性ウイルスの投与により、前記少なくとも1つの癌細胞の溶解を誘導するステップと
を含む前記方法。
（構成１６）
前記腫瘍溶解性ウイルスが、前記個体における少なくとも1つの癌細胞に感染するのに有効な量で投与される、構成15記載の方法。
（構成１７）
癌を有する個体又は腫瘍を有する個体を治療することを目的とする、構成15又は構成16記載の方法。
（構成１８）
治療を必要とする、癌を患う又は新生物もしくは腫瘍を有する患者に、構成1から12のいずれか1項記載の治療有効量の腫瘍溶解性ウイルスを投与することを含む、癌を治療する方法。
（構成１９）
癌の治療における使用のための、構成1から12のいずれか1項記載の腫瘍溶解性ウイルス、又は構成13又は構成14記載の医薬組成物。
（構成２０）
前記癌が、白血病(例えば、骨髄芽球性、前骨髄球性、骨髄単球性、単球性、赤白血病、慢性骨髄性(顆粒球)白血病、及び慢性リンパ性白血病)、リンパ腫(例えば、ホジキン病及び非ホジキン病)、線維肉腫、粘液肉腫、脂肪肉腫、軟骨肉腫、骨肉腫、血管肉腫、内皮肉腫、ユーイング腫瘍、結腸癌、膵臓癌、乳癌、卵巣癌、前立腺癌、扁平上皮癌、基底細胞癌、腺癌、腎細胞癌、肝細胞腫、ウィルムス腫瘍、子宮頸癌、子宮癌、精巣腫瘍、肺癌、小細胞肺癌、膀胱癌、上皮癌、神経膠腫、星状細胞腫、乏突起神経膠腫、メラノーマ、神経芽細胞腫、網膜芽細胞腫、異形成、及び過形成から選択される、構成15から18のいずれか1項記載の方法、又は構成19記載の腫瘍溶解性ウイルスもしくは医薬組成物。
（構成２１）
ヘキソシルトランスフェラーゼ酵素をコードする核酸を、前記腫瘍溶解性ウイルスのゲノムに組み込むステップを含む、構成1から12のいずれか1項記載の腫瘍溶解性ウイルスを調製する方法。
（構成２２）
前記組み込むステップが、クローニングを含む、構成21記載の方法。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
性的関心／興奮障害（ＳＩＡＤ）、性器骨盤痛／挿入障害（ＧＰＰＤ）、女性のオルガズム障害（ＦＯＤ）、外陰膣萎縮、膣前庭痛、性交痛、及び女性の低性欲から選択される女性の性的障害の治療に用いられる医薬組成物であり、カテキンを含有する、医薬組成物。
【請求項２】
前記カテキンが、総組成物重量当たり、約１重量％〜１５重量％（ｗ／ｗ）の濃度である、請求項１に記載の医薬組成物。
【請求項３】
前記カテキンの濃度が、約２．５重量％〜１０重量％、約１重量％〜７．５重量％、又は約５重量％である、請求項２に記載の医薬組成物。
【請求項４】
前記カテキンが、茶カテキン、緑茶カテキン、又はエピガロカテキンである、請求項１に記載の医薬組成物。
【請求項５】
前記医薬組成物が、外陰部、膣前庭、膣入り口、陰核、又は膣への適用に対し製剤化される、請求項１に記載の医薬組成物。
【請求項６】
前記医薬組成物が、エストロゲン、又はアンドロゲン、又は選択的エストロゲン受容体調節物質（ＳＥＲＭ）をさらに含有し、任意で、前記ＳＥＲＭがオスペミフェンであるか、或いは、前記医薬組成物が、エストロゲン、又はＳＥＲＭとエストロゲンホルモンの両方の組み合わせ、又はアンドロゲンホルモンをさらに含有する、請求項１に記載の医薬組成物。
【請求項７】
前記医薬組成物が、軟膏、ローション、エマルション、水性溶液、又は非水性溶液である、請求項１〜６のいずれか１項に記載の医薬組成物。
【請求項８】
総組成物重量当たり、約１重量％〜１５重量％（任意で、約１重量％〜１０重量％）（ｗ／ｗ）の濃度のカテキン、及び薬学的に受容可能な担体を含む、医薬組成物。
【請求項９】
前記カテキンの濃度が、約２．５重量％〜１０重量％、約１重量％〜７．５重量％、又は約５重量％である、請求項８に記載の医薬組成物。
【請求項１０】
尿路障害の治療に用いられる、請求項８に記載の医薬組成物。
【請求項１１】
前記カテキンが、緑茶カテキンであり、任意で、前記カテキンがエピガロカテキン没食子酸塩である、請求項８に記載の医薬組成物。
【請求項１２】
前記カテキンが、外陰部、膣前庭、膣入り口、陰核、又は膣への適用に対し製剤化される、請求項８に記載の医薬組成物。
【請求項１３】
前記医薬組成物が、選択的エストロゲン受容体調節物質（ＳＥＲＭ）をさらに含有し、任意で、前記ＳＥＲＭがオスペミフェンであるか、或いは、エストロゲン、又はＳＥＲＭとエストロゲンホルモンの両方の組み合わせ、又はアンドロゲンホルモンをさらに含有する、請求項８に記載の医薬組成物。
【請求項１４】
前記医薬組成物が、軟膏、ローション、エマルション、水性溶液、又は非水性溶液である、請求項８〜１３のいずれか１項に記載の医薬組成物。
【請求項１５】
アスコルビン酸、ビタミンＥ、オメガ３、塩水、メタノール、アガー精油、アガー抽出物、アジョワン、アロエベラ、アミリス、アンジェリカルート、アニス、バルサム、バジル、ベーラム、ベルガモット、黒コショウ、ブーク（ｂｕｃｈｕ）、ふき、カユプテ、大麻の花、キャラウェイ、カルダモン種子、ニンジン種子、シダーウッド、シダーリーフ、カモミール、シナモン、シスタス、プチグレン（ｃｉｔｒｕｓ  ｖｕｌｇａｒｉｓ）、シトロネラ、クラリーセージ、クローブの葉、コリアンダー、コストマリー、クランベリー種子、クミン／ブラック種子、イトスギ、ダバナ（ｄａｖａｎａ）、ディル、ユーカリ、フェンネル種子、コロハ、フランキンセンス、ガルバナム（ｇａｌｂａｎｕｍ）、ゼラニウム、ショウガ、グレープフルーツ、ブドウ種子（例えば、ビニフェラ種）、ヘナ、ジャスミン、ジュニパーベリー、ラベンダー、レモン、レモングラス、ライム、リツェアクベバ、ロベリア／ニーム、メリッサ（レモンバーム）、ハッカ／ミント、オオヨモギ、マスタード、ミルラ、ネロリ、ナツメグ、オレンジ、オレガノ、オリス、パセリ、パチョリ、エゴマ、ペニーロイヤル、ペパーミント、マツ、バラ、ローズヒップ、ローズマリー、ローズウッド、セージ、サンダルウッド、ササフラス、セイボリー、チョウセンゴミシ、スペアミント、トウシミキ、タラゴン、ティーツリー、タイム、ベチバー、ノコギリソウイランイランからなる群から選択される源からの抽出物をさらに含有し、任意で、前記抽出物がペパーミント由来である、請求項８〜１３のいずれか１項に記載の医薬組成物。